(57)【特許請求の範囲】
【請求項１】
記録可能な光ディスクに形成されたプリグルーブの有するウォブル信号を検出するためのウォブル信号検出装置であって、
前記プリグルーブの接線方向に２分割されて前記プリグルーブからの反射光を各々受光する受光素子と、
これらの受光素子から出力される各々の信号に対して光源により前記光ディスクに書き込むべきデータパターンの周波数成分を除去するように低域通過特性に帯域制限する帯域制限回路と、
前記帯域制限回路から出力される各々の信号の振幅が等しくなるように波形等化処理を施す補正回路と、
前記補正回路から出力される各々の信号の差をとる差信号検出回路と、を備えることを特徴とするウォブル信号検出装置。
【請求項２】
前記帯域制限回路は、カットオフ周波数が前記書き込むべきデータパターンの周波数成分よりも低く、かつ、ウォブル信号の周波数よりも高い周波数に設定されている低域通過特性を有することを特徴とする請求項１記載のウォブル信号検出装置。
【請求項３】
前記光ディスクが追記型光ディスクであり、前記ウォブル信号がＡＴＩＰ（Ａbsolute Ｔime Ｉn Ｐre-groove）信号であり、前記書き込むべきデータパターンがＥＦＭ（Ｅight to Ｆourteen Ｍodulation）信号であることを特徴とする請求項１又は２記載のウォブル信号検出装置。
【請求項４】
前記補正回路における波形等化処理の補正量は、トラックエラー信号監視手段により監視されるトラックエラー信号のずれ量に応じて可変設定されることを特徴とする請求項１ないし３の何れか一に記載のウォブル信号検出装置。
【請求項５】
前記補正回路における波形等化処理の補正量は、レンズ位置信号監視手段により監視される対物レンズのレンズ位置信号のずれ量に応じて可変設定されることを特徴とする請求項１ないし３の何れか一に記載のウォブル信号検出装置。
【請求項６】
前記補正回路における波形等化処理は、前記帯域制限回路から出力される各々の信号振幅の最大値を一定にする処理であることを特徴とする請求項１ないし３の何れか一に記載のウォブル信号検出装置。
【請求項７】
前記補正回路における波形等化処理は、前記帯域制限回路から出力される各々の信号振幅の実効値を一定にする処理であることを特徴とする請求項１ないし３の何れか一に記載のウォブル信号検出装置。
【請求項８】
前記帯域制限回路は、その帯域制限周波数が書き込み速度に応じて可変設定自在であることを特徴とする請求項１ないし７の何れか一に記載のウォブル信号検出装置。
【請求項９】
ウォブル信号を有するプリグルーブが形成された記録可能な光ディスクを回転駆動する回転駆動手段と、
光源及びこの光源からの光を前記光ディスクのプリグルーブ上に集光照射させる対物レンズを有して前記光ディスクの半径方向に移動自在な光ピックアップと、
記録時に書き込むべきデータパターンに応じて前記光源を発光させる光源駆動制御手段と、
前記プリグルーブの接線方向に２分割されて前記プリグルーブからの反射光を各々受光する受光素子を前記光ピックアップ中に有する請求項１ないし８の何れか一に記載のウォブル信号検出装置と、
を備えることを特徴とする光ディスク装置。
【請求項１０】
請求項９記載の光ディスク装置を内蔵することを特徴とする情報処理装置。
【発明の詳細な説明】
【０００１】
【発明の属する技術分野】
本発明は、記録可能な光ディスクに形成されたプリグルーブの有するウォブル信号を検出するためのウォブル信号検出装置、このウォブル信号検出装置を備える光ディスク装置及び情報処理装置に関する。
【０００２】
【従来の技術】
一般に、追記又は書換え記録可能な光ディスクでは、トラッキング用のグルーブをウォブルさせてアドレスなどの付帯情報をウォブル信号として記録している。即ち、所定周波数（例えば、２２．０５ｋＨｚ）の搬送波がアドレス等の付帯情報により変調され、この変調された付帯情報に基づいてトラッキング用のグルーブをウォブルさせたものである。
【０００３】
このような種類の光ディスクに、情報の記録、再生或いは消去を行う光ディスク装置において、情報を記録しようとする場合、光ディスクに含まれるウォブル信号、例えば、光ディスク上の絶対番地を示す時間情報としてのＡＴＩＰ信号（Ａbsolute Ｔime Ｉn Ｐre-groove）を正確に検出することは、情報を記録しようとする位置決めを正確に行い、かつ、情報を記録しようとする光ディスクの回転速度に同期するために、非常に重要である。
【０００４】
即ち、光ディスク装置では情報の記録中にＡＴＩＰ信号検出のエラー率が増加すると、同期が外れたりして、記録エラーが発生してしまうことがある。特に、追記型（ライトワンス）のＣＤ−Ｒメディアにおいては、記録エラーが発生するとその記録していた光ディスクは再使用が不可な無駄なものになってしまうため、正確なＡＴＩＰ信号の検出は大変重要である。
【０００５】
光ディスクからＡＴＩＰ信号のようなウォブル信号（付帯情報）を検出する場合、通常は、トラックエラー信号検出用の２分割受光素子間の出力差から検出する方法が広く採用されている。ウォブル信号の周波数はトラックエラー信号から所定の周波数成分を分離することによりウォブル信号を検出することができるためである。
【０００６】
しかし、プリグルーブを蛇行させることにより形成されるＡＴＩＰ信号の信号レベルが非常に小さいという性質上、さまざまな外乱を要因として、検出が困難になることがあり得る。このような問題は、特に追記型のＣＤ−Ｒメディアや書換え記録可能なＣＤ−ＲＷメディアのように、反射光の強弱によってデータの記録或いは再生を行う光ディスクにおいて顕著に現われる。このウォブル信号の検出においては、２分割受光素子に対応する２系統の検出系に光量的なアンバランスがないように光学系を調整することが望ましいことは言うまでもないが、機械的な調整には限界がある上に、経時変化やメディアの反りなどによる後天的に発生するアンバランスに対しては、対応が困難である。
【０００７】
そこで、例えば、情報を再生しようとする場合を例に採ると、特開平０５−１２８５６４号公報に示されるように、光軸がずれてしまう場合、ＡＴＩＰ信号を得るために元となる２つの検出系の信号振幅が等しくなるように調整することで検出をしようとする提案例や、特開平０６−２９０４６２号公報に示されるように、２つの検出系の信号振幅を、２つの検出信号の和信号（ＲＦ信号）を元に正規化することで、正確に検出しようとする提案例がある。
【０００８】
しかし、情報を記録しようとする場合においては、検出系に現われる信号が情報を再生しているときとは異なり、振幅が経時的に大きく変化してしまうという、追記型光ディスクの特徴がある。
【０００９】
そのため、一般的には、情報を記録しようとする場合には、特開平１０−１１７５７号公報に示されるように、情報を記録しようとするマークを形成する場合以外のスペースを形成しようとする場合の受光素子の出力（一般的に、この時は再生用の低いパワーで発光している）をサンプリングして、ＡＴＩＰ信号の情報を検出しようとする、いわゆるサンプルホールド（Ｓ／Ｈ）方式が用いられる。この際、情報を記録しようとする記録速度が速くなると、上述のＡＴＩＰ信号の検出は困難度を増すことは言うまでもない。
【００１０】
【発明が解決しようとする課題】
しかし、上述した特開平１０−１１７５７号公報に示されるような提案においては、次のような欠点がある。高速で情報を記録しようとする場合において、サンプルホールドを行うためには、高速、かつ、高精度で安定して動作する高価な回路構成が必要である。また、高速で情報を記録しようとする場合には、半導体レーザの発光パターンを記録する幅より長めにする傾向があり、情報を再生するための再生レベルの光量で発光している時間が一層短くなる傾向となっており、サンプルホールド方式では、ＡＴＩＰ信号を検出するためのキャリア・ノイズ比（Ｃ／Ｎ比）が悪くなり、正確なＡＴＩＰ信号の検出がますます困難になる。特に、最近では記録速度がますます高速化する傾向にある。
【００１１】
この他、前述した公報例に限らず、ＡＴＩＰ信号の検出に関しては種々の提案例があるが、結局は、ＲＦ信号を利用する再生動作や低速仕様を対象としており、現在或いは将来の高速記録を考慮したＡＴＩＰ信号の検出についての提案例はない現状にある。
【００１２】
そこで、本発明は、記録可能な光ディスクに情報を高速で書き込みする場合であってもウォブル信号を正確に検出することができるウォブル信号検出装置を提供することを目的とする。
【００１３】
また、本発明は、上記目的を実現する上で、記録中の再生信号に含まれるウォブル信号とは関係のないノイズ成分を効率よく除去でき、ウォブル信号をより一層正確に検出することができるウォブル信号検出装置を提供する。
【００１４】
また、本発明は、上記目的を容易に実現し得るウォブル信号検出装置を提供する。
【００１５】
また、本発明は、上記目的を実現する上で、情報を記録しようとする書込み速度が変更された場合にも対処できるウォブル信号検出装置を提供する。
【００１６】
さらに、本発明は、上記のウォブル信号検出装置を備えることで、同期外れ等のエラーの少ない良好なる記録を行なえる光ディスク装置及び情報処理装置を提供することを目的とする。
【００１７】
【課題を解決するための手段】
請求項１記載の発明は、記録可能な光ディスクに形成されたプリグルーブの有するウォブル信号を検出するためのウォブル信号検出装置であって、前記プリグルーブの接線方向に２分割されて前記プリグルーブからの反射光を各々受光する受光素子と、これらの受光素子から出力される各々の信号に対して光源により前記光ディスクに書き込むべきデータパターンの周波数成分を除去するように低域通過特性に帯域制限する帯域制限回路と、前記帯域制限回路から出力される各々の信号の振幅が等しくなるように波形等化処理を施す補正回路と、前記補正回路から出力される各々の信号の差をとる差信号検出回路と、を備える。
【００１８】
従って、書き込むべきデータパターンに従い光源を発光させて光ディスクに対して記録動作を行っている最中に、２分割構成の受光素子から出力される各々の信号を補正回路により信号同士が等しくなるように波形等化処理を施す前に、ウォブル信号とは関係のない書き込むべきデータパターンの周波数成分を除去するように帯域制限回路により帯域制限することにより、補正回路に入力される信号は書き込むべきデータパターンの周波数成分が除去された形となるため、高速記録時であっても補正回路では書き込むべきデータパターンから発生するノイズ成分の影響を受けない波形等化処理が可能となり、このような補正回路から出力される各々の信号の差を差信号検出回路によりとることにより、ウォブル信号が正確に検出される。即ち、高速応答性に限界のあるサンプルホールド方式を用いることなく、容易な構成でウォブル信号を正確に検出できる。
【００１９】
請求項２記載の発明は、請求項１記載のウォブル信号検出装置において、前記帯域制限回路は、カットオフ周波数が前記書き込むべきデータパターンの周波数成分よりも低く、かつ、ウォブル信号の周波数よりも高い周波数に設定されている低域通過特性を有する。
【００２０】
従って、書き込むべきデータパターンの周波数成分に対してウォブル信号の周波数成分がかなり低いことから、請求項１記載の発明は、帯域制限回路の帯域制限周波数を、除去対象とする書き込むべきデータパターンの周波数成分よりも低く、かつ、検出対象とするウォブル信号の周波数よりも高い周波数に設定し、帯域制限回路として、例えば、このような周波数条件を満たす低域通過フィルタ（ＬＰＦ）を用いることにより簡単に実現できる。この場合、帯域制限周波数としては、データパターンの周波数成分よりも十分に低く、かつ、ウォブル信号の周波数よりも十分に高い周波数であって、極力低い周波数とすれば、検出すべきウォブル信号に支障なくデータパターンの周波数成分を極力除去できることとなり、より好ましい。
【００２１】
請求項３記載の発明は、請求項１又は２記載のウォブル信号検出装置において、前記光ディスクが追記型光ディスクであり、前記ウォブル信号がＡＴＩＰ（Ａbsolute Ｔime Ｉn Ｐre-groove）信号であり、前記書き込むべきデータパターンがＥＦＭ（Ｅight to Ｆourteen Ｍodulation）信号である。
【００２２】
従って、具体的な適用例として、ＥＦＭ信号を用いて追記型光ディスクに高速記録を行なう場合に、ＡＴＩＰ信号を正確に検出できる。
【００２３】
請求項４記載の発明は、請求項１ないし３の何れか一に記載のウォブル信号検出装置において、前記補正回路における波形等化処理の補正量は、トラックエラー信号監視手段により監視されるトラックエラー信号のずれ量に応じて可変設定される。
【００２４】
従って、２分割された受光素子からの各々の信号の振幅が変化する要因の一つに光ディスクに対する光学スポットの位置がトラックの中心からずれるトラックずれがあるが、このようなトラックエラー信号を一般的なトラックエラー信号監視手段により監視し、そのずれ量に応じて補正回路における波形等化処理の補正量を可変設定することにより、トラックずれが発生した状態で高速記録を行なったとしても２系統の信号が等しくなるように補正されるため、記録中に得られる信号中に含まれるウォブル信号とは関係のない書き込むべきデータパターンから発生するノイズ成分を効率よく除去でき、結果として、ウォブル信号を正確に検出できる。
【００２５】
請求項５記載の発明は、請求項１ないし３の何れか一に記載のウォブル信号検出装置において、前記補正回路における波形等化処理の補正量は、レンズ位置信号監視手段により監視される対物レンズのレンズ位置信号のずれ量に応じて可変設定される。
【００２６】
従って、２分割された受光素子からの各々の信号の振幅が変化する要因の一つに受光素子が対物レンズの中心からずれるレンズシフトがあるが、このようなレンズずれを示すレンズ位置信号を一般的なレンズ位置信号監視手段により監視し、そのずれ量に応じて補正回路における波形等化処理の補正量を可変設定することにより、レンズシフトが発生した状態で高速記録を行なったとしても２系統の信号が等しくなるように補正されるため、記録中に得られる信号中に含まれるウォブル信号とは関係のない書き込むべきデータパターンから発生するノイズ成分を効率よく除去でき、結果として、ウォブル信号を正確に検出できる。
【００２７】
請求項６記載の発明は、請求項１ないし３の何れか一に記載のウォブル信号検出装置において、前記補正回路における波形等化処理は、前記帯域制限回路から出力される各々の信号振幅の最大値を一定にする処理である。
【００２８】
従って、書き込むべきデータパターンに従い光源を発光させて光ディスクに対して記録動作を行っている最中に、２分割構成の受光素子から出力される各々の信号を補正回路により信号同士が等しくなるように波形等化処理を施す上で、検出対象とするウォブル信号の周波数成分に比べてかなり高い書き込むべきデータパターンの周波数成分を帯域制限回路により事前に除去するので、補正回路においては書き込むべきデータパターンの周波数成分の影響を受けない波形等化処理として、各々の信号振幅の最大値を一定にする簡易な処理とすることができ、具体的には、ピーク検出回路、比較器等を利用すればよく、実現が容易となる。
【００２９】
請求項７記載の発明は、請求項１ないし３の何れか一に記載のウォブル信号検出装置において、前記補正回路における波形等化処理は、前記帯域制限回路から出力される各々の信号振幅の実効値を一定にする処理である。
【００３０】
従って、書き込むべきデータパターンに従い光源を発光させて光ディスクに対して記録動作を行っている最中に、２分割構成の受光素子から出力される各々の信号を補正回路により信号同士が等しくなるように波形等化処理を施す上で、検出対象とするウォブル信号の周波数成分に比べてかなり高い書き込むべきデータパターンの周波数成分を帯域制限回路により事前に除去するので、補正回路においては書き込むべきデータパターンの周波数成分の影響を受けない波形等化処理として、各々の信号振幅の実効値を一定にする簡易な処理とすることができ、具体的には、実効値検出回路、比較器等を利用すればよく、実現が容易となる。
【００３１】
請求項８記載の発明は、請求項１ないし７の何れか一に記載のウォブル信号検出装置において、前記帯域制限回路は、その帯域制限周波数が書き込み速度に応じて可変設定自在である。
【００３２】
従って、ウォブル信号は特定の周波数の搬送波をＦＭ変調した信号であり、この搬送波は情報を記録する書き込み速度が変化するとそれに伴って変化するが、このような書き込み速度の変化に応じて帯域制限回路の帯域制限周波数も可変設定することにより、書き込み速度に適した帯域制限が可能で、書き込み速度に関係なくウォブル信号を正確に検出できる。逆にいえば、高速記録時のみならず、低速記録時にも対応できる。
【００３３】
請求項９記載の発明の光ディスク装置は、ウォブル信号を有するプリグルーブが形成された記録可能な光ディスクを回転駆動する回転駆動手段と、光源及びこの光源からの光を前記光ディスクのプリグルーブ上に集光照射させる対物レンズを有して前記光ディスクの半径方向に移動自在な光ピックアップと、記録時に書き込むべきデータパターンに応じて前記光源を発光させる光源駆動制御手段と、前記プリグルーブの接線方向に２分割されて前記プリグルーブからの反射光を各々受光する受光素子を前記光ピックアップ中に有する請求項１ないし８の何れか一に記載のウォブル信号検出装置と、を備える。
【００３４】
従って、高速記録時でもウォブル信号を正確に検出できる請求項１ないし８の何れか一に記載のウォブル信号検出装置を備えるので、記録位置の位置決め、回転速度に対する同期等の安定した高速記録対応の光ディスク装置を提供できる。
【００３５】
請求項１０記載の発明の情報処理装置は、請求項９記載の光ディスク装置を内蔵する。
【００３６】
従って、請求項９記載の光ディスク装置を内蔵しているので、高速記録時でもウォブル信号を正確に検出でき、結果として、記録位置の位置決め、回転速度に対する同期等の安定した高速記録対応の光ディスク装置を利用できる情報処理装置を提供することができる。
【００３７】
【発明の実施の形態】
本発明の第一の実施の形態を図１及び図２に基づいて説明する。本実施の形態の光ディスク装置は、記録可能なＣＤ−Ｒ（ＣＤ−Ｒecordable）なる光ディスク１を対象とする情報記録再生装置への適用例を示す。図１はこの情報記録再生装置（ドライブ装置）の構成を示す概略ブロック図である。
【００３８】
図１を参照して情報記録再生装置の概略構成及び動作について説明する。光ディスク１は回転駆動手段としてのスピンドルモータ２によって回転駆動される。スピンドルモータ２はモータドライバ３とサーボ手段４とによって線速度一定（ＣＬＶ）又は回転数一定（ＣＡＶ）となるように制御される。その線速度は段階的に変更が可能である。光ピックアップ５は特に図示しない光源としての半導体レーザ、光学系、フォーカシングアクチュエータ、トラッキングアクチュエータ、受光器、ポジションセンサ等を内蔵しており、レーザ光を光ディスク１の記録面に照射する。
【００３９】
光ピックアップ５は図示しないシークモータによりスレッジ方向（ディスク半径方向）に移動可能とされている。これらのフォーカシングアクチュエータ、トラッキングアクチュエータ、シークモータは受光器やポジションセンサから得られる信号に基づきモータドライバ３とサーボ手段４とによってレーザスポットを光ディスク１上の目的の場所に位置させるように制御する。
【００４０】
データ再生時には、光ピックアップ５で得られた再生信号をリードアンプ６で増幅して２値化した後、ＣＤデコーダ７に入力してデインターリーブとエラー訂正の処理を行う。さらに、そのデインターリーブとエラー訂正の処理後のデータをＣＤ−ＲＯＭデコーダ８に入力してデータの信頼性を高めるためのエラー訂正処理を行う。
【００４１】
その後、ＣＤ−ＲＯＭデコーダ８で処理したデータをバッファマネージャ９によって一旦バッファＲＡＭ１０に蓄積し、セクタデータとして揃ったときにＡＴＡＰＩ／ＳＣＳＩインタフェース１１によってホスト側へ一気に転送する。また、音楽データの場合、ＣＤデコーダ７から出力されるデータをＤ／Ａコンバータ１２に入力してアナログのオーディオ信号を取り出す。
【００４２】
一方、データ記録時には、ＡＴＡＰＩ／ＳＣＳＩインタフェース１１によってホストから転送されたデータを受信すると、そのデータをバッファマネージャ９によって一旦バッファＲＡＭ１０に蓄積する。バッファＲＡＭ１０に或る程度のデータが溜まったときに記録を開始するが、その前にレーザスポットを書き込み開始地点に位置させる。その書き込み開始地点はトラック（プリグルーブ）の蛇行によって予め光ディスク１に刻まれているウォブル信号であるＡＴＩＰ（Ａbsolute Ｔime Ｉn Ｐre-groove）信号によって求められる。ＡＴＩＰ信号は光ディスク上の絶対番地を示す時間情報であり、ＡＴＩＰデコーダ１３によってＡＴＩＰ信号の情報を取り出すとともに、ＡＴＩＰエラーを検出してＡＴＩＰ信号の検出エラー率を計測する。
【００４３】
また、ＡＴＩＰデコーダ１３が生成する同期信号はＣＤエンコーダ１４に入力されて正確な位置でのデータの書き出しを可能にしている。バッファＲＡＭ１０のデータは、ＣＤ−ＲＯＭエンコーダ１５やＣＤエンコーダ１４でエラー訂正コードの付加やインターリーブを行って光源駆動制御手段としてのレーザコントロール回路１６、光ピックアップ５を介して光ディスク１に記録される。
【００４４】
このような情報記録再生装置は、上述の各部の動作を制御するためのＣＰＵ１７、ＲＯＭ１８及びＲＡＭ１９からなるマイクロコンピュータ２０を備えている。
【００４５】
ここで、本実施の形態では、光ディスク１としては前述したようにトラック（プリグルーブ）を蛇行させることにより予めウォブル信号としてのＡＴＩＰ信号を形成したものが用いられる。また、光源を発光させて光ディスク１に書き込むための書き込むべきデータパターンとしてはＣＤ系規格のＥＦＭ（Ｅight to Ｆourteen Ｍodulation）信号が用いられる。さらに、光ピックアップ５中に含まれる受光器中にはトラックエラー信号を検出するためにトラック（プリグルーブ）の接線方向に２分割されてトラックからの反射光を各々受光する受光素子Ｃ，Ｄ（図３参照）を有するフォトダイオード構成の受光器２１を備えている。なお、この受光素子としてはトラックの接線方向に２分割されていればよく、トラックに直交する方向の分割の有無は問わない。従って、トラックエラー信号とともにＲＦ信号、フォーカスエラー信号の検出を兼用するいわゆる４分割構造の受光器であってもよい。また、同一受光器の受光面の分割構造に限らず、２つの受光素子の並設構造であってもよい。
【００４６】
このような情報記録再生装置としての基本構成の下、本実施の形態におけるウォブル信号検出装置としてのＡＴＩＰ信号検出装置の構成例を図２を参照して説明する。このＡＴＩＰ信号検出装置は、主にリードアンプ６部分により構成され、検出したＡＴＩＰ信号をＡＴＩＰデコーダ１３に出力する。
【００４７】
まず、このＡＴＩＰ信号検出装置では信号入力源としてトラックエラー信号検出用の２分割構造の受光素子Ｃ，Ｄが用いられる。これらの受光素子Ｃ，Ｄの出力側にはその電流信号を電圧信号に変換して出力する電流−電圧変換アンプ（Ｉ／Ｖアンプ）２２，２３が接続されている。これらのＩ／Ｖアンプ２２，２３の出力側には各々帯域制限回路２４，２５が接続され、さらに、補正回路としての信号波形補正回路２６，２７が接続されている。信号波形補正回路２６，２７の出力側には各々の信号の差をとる差信号検出回路としての減算器２８が接続されている。減算器２８の出力側には低域通過フィルタ（ＢＰＦ）２９及び２値化回路３０が順に接続されている。
【００４８】
帯域制限回路２４，２５は、書き込むべきデータパターンであるＥＦＭ信号の周波数成分を除去するように帯域制限するカットオフ周波数が設定された低域通過フィルタ（ＢＰＦ）により構成されている。より具体的には、ＡＴＩＰ信号の周波数をｆATIP、帯域制限回路２４，２５のカットオフ周波数をｆC、ＥＦＭ信号の周波数をｆEFMとしたとき、
ｆATIP≪ｆC≪ｆEFM
を満たすように設定されている。即ち、カットオフ周波数をｆCは、除外対象となるＥＦＭ信号の周波数ｆEFMよりも十分低く、かつ、検出対象となるＡＴＩＰ信号の周波数ｆATIPよりも十分高い周波数に設定されている。例えば、ＡＴＩＰ信号は一般に１倍速の記録時に約２２ｋＨｚの周波数で変調されたものであるが、１０倍速の記録時には約２００ｋＨｚとなり、ＥＦＭ信号の周波数ｆEFMは１倍速で１ＭＨｚ、１０倍速で１０ＭＨｚとなることから、１０倍速を想定した機種の場合には、
ｆATIP＝２００ｋＨｚ≪ｆC≪ｆEFM＝１０ＭＨｚ
なる関係を満たすように設定されている。この場合、カットオフ周波数ｆC（帯域制限周波数）としては、上記関係を満たす上で、極力低い周波数（ＡＴＩＰ信号の周波数ｆATIP寄りの周波数）に設定することが好ましい。カットオフ周波数ｆC（帯域制限周波数）としては、上例の場合、例えば、１ＭＨｚに設定される。ちなみに、後段の低域通過フィルタ２９のカットオフ周波数は検出すべきＡＴＩＰ信号の周波数ｆATIP成分を抽出し得る周波数（従って、帯域制限回路２４，２５のカットオフ周波数ｆCの方が低域通過フィルタ２９のカットオフ周波数よりも十分大きい）に設定されている。
【００４９】
信号波形補正回路２６，２７は具体的には、後述する実施の形態のような各種構成例を採り得るが、要は、帯域制限回路２４，２５を経て入力される各受光素子Ｃ，Ｄからの２系統の信号振幅の不揃いを揃えるように波形等化処理を施すものである。
【００５０】
このような構成において、光ディスク１に対して半導体レーザからのレーザ光により書き込みを行なっているとき、トラックからの反射光は受光器２１における各々の受光素子Ｃ，Ｄにより受光され、その受光量に応じた電流が出力される。これらの電流信号は各々Ｉ／Ｖアンプ２２，２３により電圧信号に変換されている。これらのＩ／Ｖアンプ２２，２３の出力波形は、半導体レーザが書き込むべきデータパターンであるＥＦＭパターンに伴った発光をしていても、発光した状態と同じ波形で光ディスク１からその反射光が戻ってくるわけではなく、光ディスク１面に情報を記録することで（レーザ光を照射することで）、記録面で化学変化が起き、反射率が変化するので、例えば、後述する図８中の波形Ａ，Ｂに示すように反射光は著しい変化を示す。１０倍速のような高速記録時であれば、このような著しい変化も高速で生ずることとなる。
【００５１】
ここに、前述した特開平１０−１１７５７号公報では、反射光が安定しているＥＦＭパターンのスペース（図８参照）に当たる部分を各々サンプルホールドすることで、ＥＦＭパターンに起因するノイズ成分を除去するようにしているが、１０倍速或いはそれ以上の高速記録時になると、前述したように、スペース部分も高速となって時間的に短くなる上に発光パターン自体もスペース部分がますます短くなる傾向となるため、事実上、サンプルホールド方式では対処できなくなる。また、図８中の波形Ａ，Ｂに示すような部分をピークホールドすることも考えられるが、１０倍速或いはそれ以上の高速記録時になると、ピークホールド回路もこのように高速で変化するＥＦＭパターンに追従し得ず、２系統でのピークホールド値のばらつきが大きく、２系統の差をとってもＥＦＭパターン成分が残ってしまい、ＡＴＩＰ信号を正確に検出できない。
【００５２】
この点、本実施の形態では、例えば、信号波形補正回路２６，２７においてＩ／Ｖアンプ２２，２３から出力される各々の信号のピーク値を検出し各々の信号波形が一致するように波形等化処理により補正をするが、この処理に先立ち、帯域制限回路２４，２５を通すことでＥＦＭパターンの周波数成分を除去するように帯域制限しているので、１０倍速或いはそれ以上の高速記録時であっても、信号波形補正回路２６，２７ではＥＦＭパターンの影響を受けないピーク値検出等の処理が可能となる。即ち、帯域制限回路２４，２５を通して帯域制限することにより、Ｉ／Ｖアンプ２２，２３から出力される信号中に含まれるＥＦＭパターンの成分が平滑化されＥＦＭパターンの成分に起因してＣ／Ｎ比を悪化させるノイズ成分の少ない信号状態となり、信号波形補正回路２６，２７では実質的に低速時の状態でピーク値検出等の処理を行なえる。
【００５３】
このようにして信号波形補正回路２６，２７により各々波形等化処理が施された信号は減算器２８に入力されて両者間の差がとられ、さらに、低域通過フィルタ２９を通してＡＴＩＰ信号近傍の周波数成分のみ抽出し、２値化回路３０で２値化することにより、デジタル化された正確なＡＴＩＰ信号が得られる。
【００５４】
このように、本実施の形態によれば、ＥＦＭパターンに従い半導体レーザを発光させて光ディスク１に対して記録動作を行っている最中に、２分割構成の受光素子Ｃ，Ｄから出力される各々の信号を信号波形補正回路２６，２７により信号同士が等しくなるように波形等化処理を施す前に、ＡＴＩＰ信号とは関係のないＥＦＭパターンの周波数成分を帯域制限回路２４，２５により除去するように帯域制限しているので、信号波形補正回路２６，２７に入力される信号はＥＦＭパターンの周波数成分が除去された形となるため、高速記録時であっても信号波形補正回路２６，２７は高速なＥＦＭパターンから発生するノイズ成分の影響を受けない波形等化処理が可能となり、このような信号波形補正回路２６，２７から出力される各々の信号の差を減算器２８によりとることにより、ＡＴＩＰ信号が正確に検出される。即ち、高速応答性に限界のあるサンプルホールド方式を用いることなく、容易な構成でＡＴＩＰ信号を正確に検出できる。よって、情報記録再生装置としては、ＡＴＩＰ信号の検出が高速記録時であっても正確なため、情報を記録しようとする位置決めを正確に行え、かつ、情報を記録しようとする光ディスク１の回転速度に同期させる制御も適正に行なえる。
【００５５】
本発明の第二の実施の形態を図３及び図４に基づいて説明する。第一の実施の形態で示した部分と同一部分は同一符号を用いて示し、説明も省略する（以降の各実施の形態でも同様とする）。
【００５６】
本実施の形態は、トラックずれのＡＴＩＰ信号検出に対する影響をなくすようにＡＴＩＰ信号検出装置を構成した例を示す。
【００５７】
まず、図３を参照して対物レンズによる光学スポットの中心が光ディスク１のトラック（Ｔrack）中心からずれた場合の受光素子Ｃ，Ｄから得られる信号について説明する。図３（ｂ）は光学スポットの中心がトラック中心上にある場合の様子を示し、この場合には、受光素子Ｃ，Ｄに対する入射光量は等しい。従って、各々の受光素子Ｃ，Ｄから得られる出力波形も等しく、これらの差をとって得られるＡＴＩＰ信号はＣ／Ｎ比のよいものとなる。また、受光素子Ｃ，Ｄの出力の差分で表されるトラックエラー信号は基準値（トラックエラー信号＝０）を表す。
【００５８】
これに対して、図３（ａ）は、光学スポットの中心がトラックに対して受光素子Ｃ側にずれた場合を示しており、トラック外れ側の受光素子Ｃに対する入射光量が減り、トラック中心側の受光素子Ｄに対する入射光量が増える。この結果、受光素子Ｃ，Ｄからの出力波形は、受光素子Ｃ側の出力が小さくなり、受光素子Ｄ側の出力が大きくなるため、これらの差をとって得られるＡＴＩＰ信号はＣ／Ｎ比の悪いものとなる。また、受光素子Ｃ，Ｄの出力の差分で表されるトラックエラー信号のずれは負側に現れる。
【００５９】
また、図３（ｃ）は、逆に、光学スポットの中心がトラックに対して受光素子Ｄ側にずれた場合を示しており、トラック外れ側の受光素子Ｄに対する入射光量が減り、トラック中心側の受光素子Ｃに対する入射光量が増える。この結果、受光素子Ｃ，Ｄからの出力波形は、受光素子Ｃ側の出力が大きくなり、受光素子Ｄ側の出力が小さくなるため、これらの差をとって得られるＡＴＩＰ信号はＣ／Ｎ比の悪いものとなる。また、受光素子Ｃ，Ｄの出力の差分で表されるトラックエラー信号のずれは正側に現れる。
【００６０】
このようなことから、本実施の形態では、図４に示すように、各々の信号波形補正回路２６，２７をゲイン可変アンプ３１，３２により構成するとともに、トラックエー信号を監視するトラックエラー信号監視手段であるトラックエラー信号検出系３３を備え、このトラックエラー信号検出系３３により監視されるトラックエラー信号のずれ量に応じてＣＰＵ１７によりゲイン可変アンプ３１，３２の各々のゲインを可変設定するように構成されている。トラックエラー信号検出系３３はトラックエラー信号を検出するための周知の検出系により構成され、そのトラックエラー信号のずれ量は図３中に示したようなトラックエラー信号の中心（基準値＝０）からのオフトラック量で検出できる。また、その正負によりずれ方向も検出される。
【００６１】
従って、図４（ｂ）に示すような正常なケースであれば、受光素子Ｃ，Ｄ各々に対するゲイン可変アンプ３１，３２のゲインは等しく設定されるが、図４（ａ）に示すようなケースの場合にはゲイン可変アンプ３１側のゲインがゲイン可変アンプ３２のゲインよりも大きくなるように可変設定され、逆に、図４（ｃ）に示すようなケースの場合にはゲイン可変アンプ３２側のゲインがゲイン可変アンプ３１のゲインよりも大きくなるように可変設定され、何れの場合も受光素子Ｃ，Ｄ各々の系の信号振幅がトラックオフセットの影響を受けずに等しくなるように補正される。
【００６２】
従って、本実施の形態によれば、トラックずれがある状態で高速記録を行なうようなことがあっても、ゲイン可変アンプ３１，３２により上記のように受光素子Ｃ，Ｄに基づく２系統の信号が等しくなるように補正されるため、記録中に得られる信号中に含まれるＡＴＩＰ信号とは関係のないＥＦＭパターンから発生するノイズ成分を効率よく除去することができ、結果として、ＡＴＩＰ信号を正確に検出することができる。
【００６３】
本発明の第三の実施の形態を図５及び図６に基づいて説明する。
本実施の形態は、レンズシフトのＡＴＩＰ信号検出に対する影響をなくすようにＡＴＩＰ信号検出装置を構成した例を示す。
【００６４】
まず、図５を参照して受光素子Ｃ，Ｄが対物レンズの光軸中心からずれた場合にこれらの受光素子Ｃ，Ｄから得られる信号について説明する。図５（ｂ）は受光器２１の中心が対物レンズの光軸上にある場合の様子を示し、この場合には、受光素子Ｃ，Ｄに対する入射光量は等しい。従って、各々の受光素子Ｃ，Ｄから得られる出力波形も等しく、これらの差をとって得られるＡＴＩＰ信号はＣ／Ｎ比のよいものとなる。また、受光素子Ｃ，Ｄの出力の差分で表されるレンズ位置信号は基準値（レンズシフト量＝０）を表す。
【００６５】
これに対して、図５（ａ）は、受光器２１の中心が対物レンズの光軸に対して受光素子Ｄ側にずれた場合を示しており、受光素子Ｃに対する入射光量が減り、受光素子Ｄに対する入射光量が増える。この結果、受光素子Ｃ，Ｄからの出力波形は、受光素子Ｃ側の出力が小さくなり、受光素子Ｄ側の出力が大きくなるため、これらの差をとって得られるＡＴＩＰ信号はＣ／Ｎ比の悪いものとなる。また、受光素子Ｃ，Ｄの出力の差分で表されるレンズ位置信号のずれ量は負側に現れる。
【００６６】
また、図５（ｃ）は、逆に、受光器２１の中心が対物レンズの光軸に対して受光素子Ｃ側にずれた場合を示しており、受光素子Ｄに対する入射光量が減り、受光素子Ｃに対する入射光量が増える。この結果、受光素子Ｃ，Ｄからの出力波形は、受光素子Ｃ側の出力が大きくなり、受光素子Ｄ側の出力が小さくなるため、これらの差をとって得られるＡＴＩＰ信号はＣ／Ｎ比の悪いものとなる。また、受光素子Ｃ，Ｄの出力の差分で表されるレンズ位置信号のずれ量は正側に現れる。
【００６７】
このようなことから、本実施の形態では、図６に示すように、各々の信号波形補正回路２６，２７をゲイン可変アンプ３４，３５により構成するとともに、レンズ位置信号を監視するレンズ位置信号監視手段であるレンズ位置信号検出系３６を備え、このレンズ位置信号検出系３６より監視されるレンズ位置信号のずれ量（レンズシフト量）に応じてＣＰＵ１７によりゲイン可変アンプ３４，３５の各々のゲインを可変設定するように構成されている。レンズ位置信号検出系３６は受光素子Ｃ，Ｄの差信号を利用するレンズ位置信号を検出するための周知の検出系により構成され、そのレンズ位置信号のずれ量は図５中に示したようなレンズ位置信号の中心（基準値＝０）からのレンズシフト量で検出できる。また、その正負によりずれ方向も検出される。
【００６８】
従って、図５（ｂ）に示すような正常なケースであれば、受光素子Ｃ，Ｄ各々に対するゲイン可変アンプ３４，３５のゲインは等しく設定されるが、図５（ａ）に示すようなケースの場合にはゲイン可変アンプ３４側のゲインがゲイン可変アンプ３５のゲインよりも大きくなるように可変設定され、逆に、図５（ｃ）に示すようなケースの場合にはゲイン可変アンプ３５側のゲインがゲイン可変アンプ３４のゲインよりも大きくなるように可変設定され、何れの場合も受光素子Ｃ，Ｄ各々の系の信号振幅がレンズシフトの影響を受けずに等しくなるように補正される。
【００６９】
従って、本実施の形態によれば、レンズシフトがある状態で高速記録を行なうようなことがあっても、ゲイン可変アンプ３４，３５により上記のように受光素子Ｃ，Ｄに基づく２系統の信号が等しくなるように補正されるため、記録中に得られる信号中に含まれるＡＴＩＰ信号とは関係のないＥＦＭパターンから発生するノイズ成分を効率よく除去することができ、結果として、ＡＴＩＰ信号を正確に検出することができる。
【００７０】
本発明の第四の実施の形態を図７及び図８に基づいて説明する。本実施の形態は、ＡＴＩＰ信号検出装置中の補正回路の構成例を示す。
【００７１】
本実施の形態における補正回路３７は、各々帯域制限回路２４，２５を経た信号が入力されるゲイン可変アンプ３８，３９とこれらのゲイン可変アンプ３８，３９から出力される信号のピーク値（最大値）を検出するピーク検出器４０，４１とこれらのピーク検出器４０，４１により検出されたピーク値同士を比較しそれらのピーク値が等しくなるようにゲイン可変アンプ３８，３９のゲインをフィードバック制御する比較器４２とにより構成され、ゲイン可変アンプ３８，３９の出力が波形等化処理後の信号として減算器２８に入力されている。
【００７２】
このような構成において、当該情報記録再生装置が光ディスク１に対してＥＦＭパターンに従い情報を記録している場合に得られる、各々の受光素子Ｃ，Ｄの出力（Ｉ／Ｖアンプ２２，２３により電圧信号に変換された出力）Ｖｃ，Ｖｄの波形を考えると、図８（ａ）に示すようになる。即ち、ＥＦＭパターンに従い情報を記録している時の半導体レーザの発光波形は、一般に、記録するためのマークを書き込む時には大きなパワー（記録パワー）方形波の発光をさせ、マークを書き込まないスペース時には情報を再生する場合と同じ程度の弱いパワー（再生パワー）で発光させる波形とされる。しかし、このような発光波形に対して、実際に光ディスク１からの反射光を受光する受光素子Ｃ，Ｄの出力波形は、マークの書き込みが開始されると同時に反射率が経時的に変化するため、図８（ａ）中にＡ，Ｂで示すような複雑な波形となる。加えて、２分割構成の受光素子Ｃ，Ｄからの出力波形は、各々が、Ｉ／Ｖアンプ２２，２３の感度ばらつきや、前述のトラックエラー信号のオフセット、レンズシフトなど、様々な要因によって、２系統の信号の振幅が大きくばらついた状態で出力される。
【００７３】
このような状況下に、本実施の形態では、各々の受光素子Ｃ，Ｄから得られるＩ／Ｖ変換、帯域制限後の出力電圧の最大値ＶｃPEAK，ＶｄPEAKを各々ピーク検出器４０，４１により検出し、検出された最大値ＶｃPEAK，ＶｄPEAK同士を比較器４２により比較し、一致していない場合には、これらの最大値ＶｃPEAK，ＶｄPEAK同士が一致するようにゲイン可変アンプ３８，３９のゲインを増減設定させる。図８（ａ）に示す例であれば、受光素子Ｃ側の系統のゲイン可変アンプ３８のゲインを増やし、受光素子Ｄ側の系統のゲイン可変アンプ３９のゲインを減らすことで、図８（ｂ）に示すように両系統の最大値Ｖ′ｃPEAK，Ｖ′ｄPEAK同士が一致するように波形等化処理された出力電圧Ｖ′ｃ，Ｖ′ｄがゲイン可変アンプ３８，３９から得られる。よって、減算器２８においてこれらの最大値の等しい出力電圧Ｖ′ｃ，Ｖ′ｄの差をとることにより正確なＡＴＩＰ信号が検出される。
【００７４】
このように、本実施の形態によれば、書き込むべきＥＦＭパターンに従い半導体レーザを発光させて光ディスク１に対して記録動作を行っている最中に、２分割構成の受光素子Ｃ，Ｄから出力される各々の信号を補正回路３７により信号同士が等しくなるように波形等化処理を施す上で、検出対象とするＡＴＩＰ信号の周波数成分に比べてかなり高いＥＦＭパターンの周波数成分を帯域制限回路２４，２５により事前に除去しているので、補正回路３７においてはＥＦＭパターンの周波数成分の影響を受けない波形等化処理として、各々の信号振幅の最大値Ｖ′ｃPEAK，Ｖ′ｄPEAKを一定にする簡易な処理とすることができる。具体的には、ピーク検出器４０，４１、比較器４２等を利用すればよく、実現が容易となる。
【００７５】
もっとも、２系統の最大値同士を比較する比較器４２は必須ではなく、各々の系統において検出された最大値が各々一定値となるように系毎に独立して補正制御するように構成してもよい。
【００７６】
本発明の第五の実施の形態を図９及び図１０に基づいて説明する。本実施の形態も、ＡＴＩＰ信号検出装置中の補正回路の構成例を示す。基本的には、第四の実施の形態の場合と同様であるが、本実施の形態では、最大値（ピーク値）に代えて実効値が用いられている。
【００７７】
即ち、本実施の形態における補正回路４３は、各々帯域制限回路２４，２５を経た信号が入力されるゲイン可変アンプ４４，４５とこれらのゲイン可変アンプ４４，４５から出力される信号の実効値を検出する実効値検出器４６，４７とこれらの実効値検出器４６，４７により検出された実効値同士を比較しそれらの実効値が等しくなるようにゲイン可変アンプ４４，４５のゲインをフィードバック制御する比較器４８とにより構成され、ゲイン可変アンプ４４，４５の出力が波形等化処理後の信号として減算器２８に入力されている。
【００７８】
図８で説明したような状況下に（図１０参照）、本実施の形態では、各々の受光素子Ｃ，Ｄから得られるＩ／Ｖ変換、帯域制限後の出力電圧の実効値ＶｃRMS，ＶｄRMSを各々実効値検出器４６，４７により検出し、検出された実効値ＶｃRMS，ＶｄRMS同士を比較器４８により比較し、一致していない場合には、これらの実効値ＶｃRMS，ＶｄRMS同士が一致するようにゲイン可変アンプ４４，４５のゲインが増減設定させる。図１０（ａ）に示す例であれば、受光素子Ｃ側の系統のゲイン可変アンプ４４のゲインを増やし、受光素子Ｄ側の系統のゲイン可変アンプ４５のゲインを減らすことで、図１０（ｂ）に示すように両系統の実効値Ｖ′ｃRMS，Ｖ′ｄRMS同士が一致するように波形等化処理された出力電圧Ｖ′ｃ，Ｖ′ｄがゲイン可変アンプ４４，４５から得られる。よって、減算器２８においてこれらの実効値の等しい出力電圧Ｖ′ｃ，Ｖ′ｄの差をとることにより正確なＡＴＩＰ信号が検出される。
【００７９】
このように、本実施の形態によれば、書き込むべきＥＦＭパターンに従い半導体レーザを発光させて光ディスク１に対して記録動作を行っている最中に、２分割構成の受光素子Ｃ，Ｄから出力される各々の信号を補正回路４３により信号同士が等しくなるように波形等化処理を施す上で、検出対象とするＡＴＩＰ信号の周波数成分に比べてかなり高いＥＦＭパターンの周波数成分を帯域制限回路２４，２５により事前に除去しているので、補正回路４３においてはＥＦＭパターンの周波数成分の影響を受けない波形等化処理として、各々の信号振幅の実効値Ｖ′ｃRMS，Ｖ′ｄRMSを一定にする簡易な処理とすることができる。具体的には、実効値検出器４６，４７、比較器４８等を利用すればよく、実現が容易となる。
【００８０】
もっとも、２系統の実効値同士を比較する比較器４８は必須ではなく、各々の系統において検出された実効値が各々一定値となるように系毎に独立して補正制御するように構成してもよい。
【００８１】
本発明の第六の実施の形態を図１１に基づいて説明する。本実施の形態では、帯域制限回路２２，２３としてその帯域制限周波数が可変設定自在（切替選択を含む）なものが用いられ、ＣＰＵ１７から与えられる記録速度（書き込み速度）に応じてその帯域制限周波数が可変設定されるように構成されている。
【００８２】
ＡＴＩＰ信号は、元々特定の周波数（一般には、２２．０５ｋＨｚ）の搬送波をＦＭ変調した信号であり、この搬送波の周波数は情報を記録する速度（書き込み速度）が変化すると、それに伴い変化する。即ち、書き込み速度が１０倍速時であれはＡＴＩＰ信号の周波数成分が約２００ｋＨｚとなる如くである。よって、本実施の形態では、帯域制限回路２２，２３で帯域制限する周波数も記録速度の変更に伴い可変させることで、その記録速度においてＡＴＩＰ信号を損なわずにＥＦＭパターンの周波数成分を除去するのに適した帯域制限をかけることができる。
【００８３】
従って、本実施の形態によれば、書き込み速度に適した帯域制限が可能で、結果として、書き込み速度に関係なく常にウォブル信号を正確に検出できる。逆にいえば、高速記録時のみならず、低速記録時にも対応できる仕様となる。
【００８４】
本発明の第七の実施の形態を図１２に基づいて説明する。本実施の形態は、情報処理装置としてパーソナルコンピュータ５１に適用したものであり、３．５型ＦＤドライブ装置５２の他に、前述したような情報記録再生装置である光ディスク装置５３をＣＤ−Ｒドライブとして内蔵（一体に内蔵させたタイプでも、いわゆるビルトインタイプでもよい）した構成とされている。従って、ホストもパーソナルコンピュータ５１内に内蔵されている。
【００８５】
このようなパーソナルコンピュータ５１によれば、上述したようなＡＴＩＰ信号検出装置を備えた光ディスク装置５３を内蔵しているので、実際の記録動作時、特に、高速記録時であっても、ＡＴＩＰ信号を正確に検出でき、結果として、記録位置の位置決め、回転速度に対する同期等の安定した高速記録対応の光ディスク装置５３を記憶装置等として利用できるパーソナルコンピュータ５１を提供することができる。
【００８６】
もっとも、本実施の形態のようにパーソナルコンピュータ５１に内蔵されたタイプの光ディスク装置に限らず、単体で設けられ、外部のホスト等の情報処理装置に接続された形態であってもよい。また、ディスクトップ型のパーソナルコンピュータ５１に限らず、ノートパソコン等の携帯型であってもよい。
【００８７】
また、前述した実施の形態では、ウォブル信号としてＡＴＩＰ信号の場合を例に採り、説明したが、ＡＴＩＰ信号に限らず、例えば、プリグルーブにアドレス情報を記録したＡＤＩＰ（Ａddress Ｉn Ｐre-groove）信号等であってもよい。また、前述した実施の形態では、ＣＤ系、特にＣＤ−Ｒを想定し、書き込むべきデータパターン例としてＥＦＭ信号を用いる例で説明したが、記録可能な光ディスクの仕様に応じたデータパターン例であればよく、ＥＦＭ信号に限られない。
【００８８】
【発明の効果】
請求項１記載の発明のウォブル信号検出装置によれば、書き込むべきデータパターンに従い光源を発光させて光ディスクに対して記録動作を行っている最中に、２分割構成の受光素子から出力される各々の信号を補正回路により信号同士が等しくなるように波形等化処理を施す前に、ウォブル信号とは関係のない書き込むべきデータパターンの周波数成分を除去するように帯域制限回路により帯域制限するようにしたので、補正回路に入力される信号は書き込むべきデータパターンの周波数成分が除去された形となるため、高速記録時であっても補正回路では書き込むべきデータパターンから発生するノイズ成分の影響を受けない波形等化処理が可能となり、このような補正回路から出力される各々の信号の差を差信号検出回路によりとることにより、ウォブル信号を正確に検出することができる。即ち、高速応答性に限界のあるサンプルホールド方式を用いることなく、容易な構成でウォブル信号を正確に検出することができる。
【００８９】
請求項２記載の発明によれば、書き込むべきデータパターンの周波数成分に対してウォブル信号の周波数成分がかなり低い点に着目し、請求項１記載のウォブル信号検出装置において、帯域制限回路の帯域制限周波数を、除去対象とする書き込むべきデータパターンの周波数成分よりも低く、かつ、検出対象とするウォブル信号の周波数よりも高い周波数に設定することで、帯域制限回路として、例えば、このような周波数条件を満たす低域通過フィルタを用いることにより簡単に実現することができる。特に、帯域制限周波数としては、データパターンの周波数成分よりも十分に低く、かつ、ウォブル信号の周波数よりも十分に高い周波数であって、極力低い周波数とすれば、検出すべきウォブル信号に支障なくデータパターンの周波数成分を極力除去できることとなり、より好ましい信号を得ることができる。
【００９０】
請求項３記載の発明によれば、請求項１又は２記載のウォブル信号検出装置において、具体的な適用例として、ＥＦＭ信号を用いて追記型光ディスクに高速記録を行なう場合に、ＡＴＩＰ信号を正確に検出することができる。
【００９１】
請求項４記載の発明によれば、請求項１ないし３の何れか一に記載のウォブル信号検出装置において、２分割された受光素子からの各々の信号の振幅が変化する要因の一つに光ディスクに対する光学スポットの位置がトラックの中心からずれるトラックずれがあるが、このようなトラックエラー信号を一般的なトラックエラー信号監視手段により監視し、そのエラー量に応じて補正回路における波形等化処理の補正量を可変設定するようにしたので、トラックずれを生じた状態で高速記録を行なったとしても２系統の信号が等しくなるように補正されるため、記録中に得られる信号中に含まれるウォブル信号とは関係のない書き込むべきデータパターンから発生するノイズ成分を効率よく除去することができ、結果として、ウォブル信号を正確に検出することができる。
【００９２】
請求項５記載の発明によれば、請求項１ないし３の何れか一に記載のウォブル信号検出装置において、２分割された受光素子からの各々の信号の振幅が変化する要因の一つに受光素子が対物レンズの中心からずれるレンズシフトがあるが、このようなレンズずれを示すレンズ位置信号を一般的なレンズ位置信号監視手段により監視し、そのずれ量に応じて補正回路における波形等化処理の補正量を可変設定することにより、レンズシフトが発生した状態で高速記録を行なったとしても２系統の信号が等しくなるように補正されるため、記録中に得られる信号中に含まれるウォブル信号とは関係のない書き込むべきデータパターンから発生するノイズ成分を効率よく除去することができ、結果として、ウォブル信号を正確に検出することができる。
【００９３】
請求項６記載の発明によれば、請求項１ないし３の何れか一に記載のウォブル信号検出装置において、書き込むべきデータパターンに従い光源を発光させて光ディスクに対して記録動作を行っている最中に、２分割構成の受光素子から出力される各々の信号を補正回路により信号同士が等しくなるように波形等化処理を施す上で、検出対象とするウォブル信号の周波数成分に比べてかなり高い書き込むべきデータパターンの周波数成分を帯域制限回路により事前に除去しているので、補正回路においては書き込むべきデータパターンの周波数成分の影響を受けない波形等化処理として、各々の信号振幅の最大値を一定にする簡易な処理とすることができ、具体的には、ピーク検出回路、比較器等を利用すればよく、容易に実現することができる。
【００９４】
請求項７記載の発明によれば、請求項１ないし３の何れか一に記載のウォブル信号検出装置において、書き込むべきデータパターンに従い光源を発光させて光ディスクに対して記録動作を行っている最中に、２分割構成の受光素子から出力される各々の信号を補正回路により信号同士が等しくなるように波形等化処理を施す上で、検出対象とするウォブル信号の周波数成分に比べてかなり高い書き込むべきデータパターンの周波数成分を帯域制限回路により事前に除去しているので、補正回路においては書き込むべきデータパターンの周波数成分の影響を受けない波形等化処理として、各々の信号振幅の実効値を一定にする簡易な処理とすることができ、具体的には、実効値検出回路、比較器等を利用すればよく、容易に実現することができる。
【００９５】
請求項８記載の発明によれば、請求項１ないし７の何れか一に記載のウォブル信号検出装置において、ウォブル信号は特定の周波数の搬送波をＦＭ変調した信号であり、この搬送波は情報を記録する書き込み速度が変化するとそれに伴って変化するが、このような書き込み速度の変化に応じて帯域制限回路の帯域制限周波数も可変設定するようにしたので、書き込み速度に適した帯域制限が可能で、書き込み速度に関係なくウォブル信号を正確に検出することができるとともに、高速記録時のみならず、低速記録時にも対応することができる。
【００９６】
請求項９記載の発明の光ディスク装置によれば、高速記録時でもウォブル信号を正確に検出できる請求項１ないし８の何れか一に記載のウォブル信号検出装置を備えているので、記録位置の位置決め、回転速度に対する同期等の安定した高速記録対応の光ディスク装置を提供することができる。
【００９７】
請求項１０記載の発明の情報処理装置によれば、請求項９記載の光ディスク装置を内蔵しているので、高速記録時でもウォブル信号を正確に検出でき、結果として、記録位置の位置決め、回転速度に対する同期等の安定した高速記録対応の光ディスク装置を利用できる情報処理装置を提供することができる。
【図面の簡単な説明】
【図１】本発明の第一の実施の形態を示す情報記録再生装置の構成を示す概略ブロック図である。
【図２】そのＡＴＩＰ信号検出装置の構成例を示すブロック図である。
【図３】本発明の第二の実施の形態のトラックオフセットを説明するための説明図である。
【図４】本発明の第二の実施の形態のＡＴＩＰ信号検出装置の構成例を示すブロック図である。
【図５】本発明の第三の実施の形態のレンズシフトを説明するための説明図である。
【図６】本発明の第三の実施の形態のＡＴＩＰ信号検出装置の構成例を示すブロック図である。
【図７】本発明の第四の実施の形態のＡＴＩＰ信号検出装置の構成例を示すブロック図である。
【図８】そのゲイン調整前後の様子を示す出力波形図である。
【図９】本発明の第五の実施の形態のＡＴＩＰ信号検出装置の構成例を示すブロック図である。
【図１０】そのゲイン調整前後の様子を示す出力波形図である。
【図１１】本発明の第六の実施の形態のＡＴＩＰ信号検出装置の構成例を示すブロック図である。
【図１２】本発明の第七の実施の形態のパーソナルコンピュータの構成例を示す概略斜視図である。
【符号の説明】
１      光ディスク
２      回転駆動手段
５      光ピックアップ
１６      光源駆動制御手段
２４，２５      帯域制限回路
２６，２７      補正回路
２８      差信号検出回路
３３      トラックエラー信号監視手段
３６      レンズ位置エラー信号監視手段
３７      補正回路
４３      補正回路
５３      光ディスク装置
Ｃ，Ｄ      受光素子
【図１】
0003910787.tif 000002
【図２】
0003910787.tif 000003
【図３】
0003910787.tif 000004
【図４】
0003910787.tif 000005
【図５】
0003910787.tif 000006
【図６】
0003910787.tif 000007
【図７】
0003910787.tif 000008
【図８】
0003910787.tif 000009
【図９】
0003910787.tif 000010
【図１０】
0003910787.tif 000011
【図１１】
0003910787.tif 000012
【図１２】
0003910787.tif 000013